(57)【要約】【課題】コイル相間部におけるレアショートの発生を防止できて安定した着磁を行うことが可能な永久磁石型電動機を提供する。【解決手段】中性点Ｎで互いに電気的に接続される２相の巻線４ｂ、４ｃ間に着磁用電圧を印加することにより非着磁状態の磁性部材１６を着磁して永久磁石６を形成した永久磁石型電動機である。各巻線４ｂ、４ｃに、ループ状に束ねてなる複数の磁極部Ｖ１、Ｖ２Ｖ、Ｖ３、Ｖ４、Ｗ１、Ｗ２、Ｗ３、Ｗ４を形成する。一方の巻線４ｂの電源線側の磁極部Ｖ１と他方の巻線４ｃとの電源線側の磁極部Ｗ１とは隣接しないように、巻線４ｂ、４ｃを固定子コア３に巻設する。【選択図】図１
2005224032.tif 000002
【特許請求の範囲】
【請求項１】
中性点（Ｎ）で互いに電気的に接続される２相の巻線（４ｂ）（４ｃ）間に着磁用電圧を印加することにより非着磁状態の磁性部材（１６）を着磁して永久磁石（６）を形成した永久磁石型電動機であって、各巻線（４ｂ）（４ｃ）に、ループ状に束ねてなる複数の磁極部（Ｖ１）（Ｖ２）（Ｖ３）（Ｖ４）（Ｗ１）（Ｗ２）（Ｗ３）（Ｗ４）を形成し、一方の巻線（４ｂ）の電源線側の磁極部（Ｖ１）と他方の巻線（４ｃ）の電源線側の磁極部（Ｗ１）とが隣接しないように、上記巻線（４ｂ）（４ｃ）を固定子コア（３）に巻設したことを特徴とする永久磁石型電動機。
【請求項２】
着磁用電圧の印加にて、電流を一方の巻線（４ｂ）の第１磁極部（Ｖ１）、第２磁極部（Ｖ２）、第３磁極部（Ｖ３）、第４磁極部（Ｖ４）と順次流した後、中性点（Ｎ）を介して他方の巻線（４ｃ）の第４磁極部（Ｗ４）、第３磁極部（Ｗ３）、第２磁極部（Ｗ２）、第１磁極部（Ｗ１）と順次流して上記永久磁石（６）を着磁する永久磁石型電動機であって、上記一方の巻線（４ｂ）の第１磁極部（Ｖ１）と他方の巻線（４ｃ）の第３磁極部（Ｗ３）とが隣接するように、他方の巻線（４ｃ）の磁極部（Ｗ１）（Ｗ２）（Ｗ３）（Ｗ４）を配置したことを特徴とする請求項１の永久磁石型電動機。
【請求項３】
一方の巻線（４ｂ）の第１磁極部（Ｖ１）と他方の巻線（４ｃ）の第３磁極部（Ｗ３）とが隣接し、一方の巻線（４ｂ）の第２磁極部（Ｖ２）と他方の巻線（４ｃ）の第４磁極部（Ｗ４）とが隣接し、一方の巻線（４ｂ）の第３磁極部（Ｖ３）と他方の巻線（４ｃ）の第１磁極部（Ｗ１）とが隣接し、一方の巻線（４ｂ）の第４磁極部（Ｖ４）と他方の巻線（４ｃ）の第２磁極部（Ｗ２）とが隣接することを特徴とする請求項２の永久磁石型電動機。
【発明の詳細な説明】
【技術分野】
【０００１】
この発明は、永久磁石型電動機に関するものである。
【背景技術】
【０００２】
従来より、固定子コアに装着された巻線への通電により回転磁界を発生する固定子と、永久磁石を有すると共にこの固定子内に回転可能に配置される回転子とを備えた永久磁石型電動機がある。そして、この永久磁石型電動機は、例えば、空気調和機の圧縮機の電動機として使用される。
【０００３】
このような永久磁石型電動機を組立てる場合、回転子を固定子内に嵌挿する必要がある。しかしながら、組立時に、回転子の永久磁石が着磁されていると、その磁力により回転子が固定子コアの内周面に吸い付いて、回転子を固定子コアに対して移動させることができない状態となって、組立作業性が悪かった。そこで、従来では、未着磁状態の磁石（永久磁石となる磁性部材）を装着した回転子コアを固定子コアに嵌挿し、その嵌挿後に固定子の巻線に着磁用電圧を印加して磁界を発生させ、これにより未着磁状態の磁性部材を着磁して永久磁石とするものがあった（例えば、特許文献１参照）。
【０００４】
すなわち、図１１に示すように、上記特許文献１に記載の永久磁石型電動機では、３相の巻線のうち、固定子コア５１の外周側に配置される外相巻線５２（Ｕ相）に着磁用電圧を印加せずに、外相巻線５２よりも内周側の中相巻線５３（Ｖ相）と、中相巻線５３よりも内周側の内相巻線５４（Ｗ相）に着磁用電圧を印加することよって、この固定子コア５１の嵌挿された図示省略の回転子コアの未着磁状態の磁性部材であって、着磁されれば、回転子の永久磁石となるものを着磁するものである。この場合、図１３に示すように、外相巻線５２はループ状に束ねた４つの磁極部Ｕ１、Ｕ２、Ｕ３、Ｕ４を備え、中相巻線５３はループ状に束ねた４つの磁極部Ｖ１、Ｖ２、Ｖ３、Ｖ４を備え、内相巻線５４はループ状に束ねた４つの磁極部Ｗ１、Ｗ２、Ｗ３、Ｗ４を備える。
【０００５】
そして、中相巻線５３と内相巻線５４との間に着磁用電圧を印加する。この場合、電流は図１３に示すように、入力端５５から矢印のように、中相巻線５３の磁極部Ｖ１、磁極部Ｖ２、磁極部Ｖ３、磁極部Ｖ４と順次流れる。その後は中性点５６を介して内相巻線５４に流れ込み、この内相巻線５４では、磁極部Ｗ４、磁極部Ｗ３、磁極部Ｗ２、磁極部Ｗ１と順次流れ、この磁極部Ｗ１から出力端５７に流れる。
【特許文献１】特許第２９９６２２６号明細書（図３）
【発明の開示】
【発明が解決しようとする課題】
【０００６】
ところが、中相巻線５３と内相巻線５４の各磁極部Ｖ１・・、Ｗ１・・は図１１と図１２とに示す配置になっている。このため、着磁用電圧の印加時に、中相巻線５３と内相巻線５４との間（コイル相間部）おいてショート（レアショート）が発生するおそれがあった。すなわち、この場合、磁極部Ｖ１が高電位となり、磁極部Ｗ１が低電位となっており、この電位差が大きき磁極部Ｖ１と磁極部Ｗ１とが隣接するので、磁極部Ｖ１、Ｗ１間のＡ部においてショート（レアショート）が発生しやすかった。
【０００７】
この発明は、上記従来の欠点を解決するためになされたものであって、その目的は、コイル相間部におけるレアショートの発生を防止できて安定した着磁を行うことが可能な永久磁石型電動機を提供することにある。
【課題を解決するための手段】
【０００８】
そこで請求項１の永久磁石型電動機は、中性点Ｎで互いに電気的に接続される２相の巻線４ｂ、４ｃ間に着磁用電圧を印加することにより非着磁状態の磁性部材１６を着磁して永久磁石６を形成した永久磁石型電動機であって、各巻線４ｂ、４ｃに、ループ状に束ねてなる複数の磁極部Ｖ１、Ｖ２、Ｖ３、Ｖ４、Ｗ１、Ｗ２、Ｗ３、Ｗ４を形成し、一方の巻線４ｂの電源線側の磁極部Ｖ１と他方の巻線４ｃの電源線側の磁極部Ｗ１とが隣接しないように、上記巻線４ｂ、４ｃを固定子コア３に巻設したことを特徴としている。
【０００９】
請求項１の永久磁石型電動機では、高電位となる一方の巻線の磁極部Ｖ１と、低電圧となる他方の巻線の磁極部Ｗ１が隣接しないので、これらの間の電位差は小さく、ショートの発生を防止（回避）することができる。
【００１０】
請求項２の永久磁石型電動機は、着磁用電圧の印加にて、電流を一方の巻線４ｂの第１磁極部Ｖ１、第２磁極部Ｖ２、第３磁極部Ｖ３、第４磁極部Ｖ４と順次流した後、中性点Ｎを介して他方の巻線４ｃの第４磁極部Ｗ４、第３磁極部Ｗ３、第２磁極部Ｗ２、第１磁極部Ｗ１と順次流して上記永久磁石６を着磁する永久磁石型電動機であって、上記一方の巻線４ｂの第１磁極部Ｖ１と他方の巻線４ｃの第３磁極部Ｗ３とが隣接するように、他方の巻線４ｃの磁極部Ｗ１、Ｗ２、Ｗ３、Ｗ４を配置したことを特徴としている。
【００１１】
上記請求項２の永久磁石型電動機では、一方の巻線４ｂの第１磁極部Ｖ１と他方の巻線４ｃの第３磁極部Ｗ３とが隣接するが、これらの間の電位差は小さくショート回避可能な電位差となる。このため、これらの磁極部間（コイル相間部）におけるショートの発生を防止することができる。しかも、このようなショート回避可能な電位差とする方法としては、他方の巻線４ｃの磁極部Ｗ１、Ｗ２、Ｗ３、Ｗ４の配置のみを従来のこの種のものに対して相違させるのみでよい。
【００１２】
請求項３の永久磁石型電動機は、一方の巻線４ｂの第１磁極部Ｖ１と他方の巻線４ｃの第３磁極部Ｗ３とが隣接し、一方の巻線４ｂの第２磁極部Ｖ２と他方の巻線４ｃの第４磁極部Ｗ４とが隣接し、一方の巻線４ｂの第３磁極部Ｖ３と他方の巻線４ｃの第１磁極部Ｗ１とが隣接し、一方の巻線４ｂの第４磁極部Ｖ４と他方の巻線４ｃの第２磁極部Ｗ２とが隣接することを特徴としている。
【００１３】
上記請求項３の永久磁石型電動機では、一方の巻線４ｂの第１磁極部Ｖ１と他方の巻線４ｃの第３磁極部Ｗ３とが隣接し、一方の巻線４ｂの第２磁極部Ｖ２と他方の巻線４ｃの第４磁極部Ｗ４とが隣接し、一方の巻線４ｂの第３磁極部Ｖ３と他方の巻線４ｃの第１磁極部Ｗ１とが隣接し、一方の巻線４ｂの第４磁極部Ｖ４と他方の巻線４ｃの第２磁極部Ｗ２とが隣接するので、一方の巻線４ｂの磁極部Ｖとこれに隣接する他方の巻線４ｃの磁極部Ｗとの間の各電位差は小さく、しかもほぼ均等となる。
【発明の効果】
【００１４】
請求項１の永久磁石型電動機によれば、磁極部間（コイル相間部）におけるショートの発生を防止（回避）することができる。これにより、安定した着磁を行うことができ、精度の良い電動機となる。
【００１５】
請求項２の永久磁石型電動機によれば、磁極部間（コイル相間部）におけるショートの発生を防止（回避）することができて、安定した着磁を行うことができる。しかも、ショート回避可能な電位差とする方法としては、内相巻線の磁極部の配置のみを従来のこの種のものに対して相違させるのみでよいので、組立作業の複雑化を防止でき、永久磁石型電動機を簡単に製造することができる。
【００１６】
請求項３の永久磁石型電動機によれば、一方の巻線の磁極部とこれに隣接する他方の磁極部との間の各電位差は小さく、しかもほぼ均等となる。これによって、各隣接する各磁極部間でのショートの発生を防止（回避）することができ、極めて安定した着磁を行うことができ、高精度の電動機を構成することができる。
【発明を実施するための最良の形態】
【００１７】
次に、この発明の永久磁石型電動機の具体的な実施の形態について、図面を参照しつつ詳細に説明する。図５は永久磁石型電動機の要部簡略図である。この永久磁石型電動機は、固定子１と、この固定子１内に回転可能に配置される回転子２とを備える。固定子１は、固定子コア３と、この固定子コア３に巻設される巻線４とを有している。また、固定子コア３は、電磁鋼板からなる多数の円環状薄板を積層したものであって、その内周側に複数のティース（図示省略）が設けられ、このティースに巻線４が巻設される。この際、巻線（コイル）は、固定子コア３の両端面３ａ、３ｂから軸方向外方へ突出する突出部９、９が形成される。
【００１８】
また、回転子２は、図６に示すように、回転子コア５と、この回転子コア５に埋設される複数（図例では４個）の磁石（永久磁石）６・・とを有し、回転子コア５の軸心孔７にシャフト（図示省略）が挿入固定される。この場合、回転子コア５は、電磁鋼板からなる多数の円環状薄板を積層したものであって、磁石挿入部８・・が設けられ、この磁石挿入部８・・に磁石６が挿入される。なお、磁石挿入部８は、軸心孔７の廻りに配置される本体部１０と、この本体部１０の端部に連設される径方向部１１、１１とからなり、各本体部１０・・にて略正方形を形成するように配置される。そして、各本体部１０・・に板状の磁石６が挿入される。また、この磁石６は例えば希土類磁石である。
【００１９】
ところで、図１に示すように、巻線４は、外周側に配置される外相巻線４ａと、この外相巻線４ａよりも内側に配置される中相巻線４ｂと、中相巻線４ｂよりも内側に配置される内相巻線４ｃとからなる。そして、図３に示すように、外相巻線４ａはループ状に束ねた４つの磁極部Ｕ１、Ｕ２、Ｕ３、Ｕ４を備え、中相巻線４ｂはループ状に束ねた４つの磁極部Ｖ１、Ｖ２、Ｖ３、Ｖ４を備え、内相巻線４ｃはループ状に束ねた４つの磁極部Ｗ１、Ｗ２、Ｗ３、Ｗ４を備える。
【００２０】
この際、各磁極部Ｕ１・・、Ｖ１・・、Ｗ１・・は図１に示すような配置とされる。この場合、外相巻線４ａでは、反時計廻りに第１磁極部Ｕ１から順次第２磁極部Ｕ２と、第３磁極部Ｕ３と、第４磁極部Ｕ４とが配置され、中相巻線４ｂでは、時計廻りに第１磁極部Ｖ１から順次第２磁極部Ｖ２と、第３磁極部Ｖ３と、第４磁極部Ｖ４とが配置される。また、内相巻線４ｃでは、時計廻りに第１磁極部Ｗ１から順次第２磁極部Ｗ２と、第３磁極部Ｗ３と、第４磁極部Ｗ４とが配置される。そして、外相巻線４ａと中相巻線４ｂと内相巻線４ｃは、図４に示すように中性点Ｎを介して電気的に接続される。
【００２１】
この永久磁石型電動機は、例えば、空気調和装置の圧縮機の電動機に使用するものである。圧縮機は、ケーシング（密閉容器）と、この密閉容器の下部側に収納される圧縮機要素部と、この密閉容器の上部側に収納される電動機要素部とを備え、この電動機要素部に上記永久磁石型電動機が使用される。このため、回転子２の軸心孔７に挿入固定されるシャフトは、上記圧縮機要素部のクランク軸であり、このクランク軸が密閉容器内の支持部材に支持される。
【００２２】
次に上記のように構成された永久磁石型電動機の着磁方法（製造方法）を説明する。すなわち、固定子１と回転子２とを別個に組立てた後、固定子１に回転子２を内嵌する。この際、回転子２は、磁石６となる磁性部材１６を未着磁状態とし、回転子コア５の磁石挿入部８に挿入することによって埋設する。そして、磁性部材１６を着磁することなく、固定子１の内周面と回転子２の外周面との間に所定のエアギャップが設けられるように、上記密閉容器に支持部材を介して回転自在に支持されたシャフト（クランク軸）に回転子コア５を支持させる。この際、磁性部材１６・・は、図１に示すように、外相巻線４ａの第１磁極部Ｕ１と第２磁極部Ｕ２との間、外相巻線４ａの第２磁極部Ｕ２と第３磁極部Ｕ３との間、外相巻線４ａの第３磁極部Ｕ３と第４磁極部Ｕ４との間、及び外相巻線４ａの第４磁極部Ｕ４と第１磁極部Ｕ１との間にそれぞれ対面するように配置される。
【００２３】
その後、中相巻線４ｂと内相巻線４ｃとの間に着磁用電圧を印加する。この場合、電流は図３に示すように、入力端１５から矢印のように、中相巻線４ｂの第１磁極部Ｖ１、第２磁極部Ｖ２、第３磁極部Ｖ３、第４磁極部Ｖ４と順次流れる。その後は中性点Ｎを介して内相巻線４ｃに流れ込み、この内相巻線４ｃでは、第４磁極部Ｗ４、第３磁極部Ｗ３、第２磁極部Ｗ２、第１磁極部Ｗ１と順次流れ、この第１磁極部Ｗ１から出力端１４に流れ、磁界Ｂが図１に示すように発生する。これによって、回転子２の磁石６の着磁が行われる。
【００２４】
この際、内相巻線４ｃの磁極部Ｗ１、Ｗ２、Ｗ３、Ｗ４は図１と図２に示すような配置とされ、中相巻線４ｂの第１磁極部Ｖ１には内相巻線４ｃの第３磁極部Ｗ３が隣接している。また、電位は、Ｖ１＞Ｖ２＞Ｖ３＞Ｖ４＞Ｗ４＞Ｗ３＞Ｗ２＞Ｗ１であり、各磁極部Ｖ１・・の配置としては、隣接している第１磁極部Ｖ１と第３磁極部Ｗ３との電位差は、図１１に示す従来の巻線方法のものに比べて小さくなる。
【００２５】
すなわち、従来においては、図１２に示すように、中相巻線４ｂでは、第１磁極部Ｖ１と第２磁極部Ｖ２と第３磁極部Ｖ３と第４磁極部Ｖ４とが順次直列に配置され、内相巻線４ｃでは、第４磁極部Ｗ４と第３磁極部Ｗ３と第２磁極部Ｗ２と第１磁極部Ｗ１とが順次直列に配置される。このため、入力端１５側の高電位である第１磁極部Ｖ１と、出力端１４側の低電位である第１磁極部Ｗ１とが近接して、この間においてレアショートが発生するおそれがあった。しかしながら、上記図１に示すように構成された永久磁石型電動機では、図２に示すように、上記図１２の配置に対して、内相巻線４ｃにおいて、第１磁極部Ｗ１と第３磁極部Ｗ３とを入れ替えると共に、第２磁極部Ｗ２と第４磁極部Ｗ４とを入れ替えたものである。このため、中相巻線（一方の巻線）４ｂの電源線側の第１磁極部Ｖ１と、内相巻線（他方の巻線）４ｃの電源線側の第１磁極部Ｗ１とが隣接せずに、一方の巻線４ｂの第１磁極部Ｖ１に、この第１磁極部Ｖ１との間の電位差が小である他方の巻線４ｂの第３磁極部Ｗ３とが近接（隣接）することになって、この間におけるレアショートの発生を防止できる。
【００２６】
このように、上記永久磁石型電動機では、隣接することになる第１磁極部Ｖ１と第３磁極部Ｗ３等においてはその電位差は小さく、ショート回避可能な電位差となっている。このため、これらの間におけるレアショートの発生を防止できる。また、中相巻線(一方の巻線)４ｂの第１磁極部Ｖ１と内相巻線(他方の巻線)４ｃの第３磁極部Ｗ３とが隣接し、中相巻線４ｂの第２磁極部Ｖ２と内相巻線４ｃの第４磁極部Ｗ４とが隣接し、中相巻線４ｂの第３磁極部Ｖ３と内相巻線４ｃの第１磁極部Ｗ１とが隣接し、中相巻線４ｂの第４磁極部Ｖ４と内相巻線４ｃの第２磁極部Ｗ２とが隣接し、各磁極部間（コイル相間部）に大きな電位差が生じず、しかも、各磁極部の電位差をほぼ均等とすることができる。このため、各磁極部間におけるショートの発生を防止（回避）することができる。
【００２７】
すなわち、上記永久磁石型電動機では、一方の巻線（中相巻線）４ｂと他方の巻線（内相巻線）４ｃとの隣接する磁極部が、ショート回避可能な電位差となるので、これらの磁極部間（コイル相間部）におけるショートの発生を防止（回避）することができる。これにより、安定した着磁を行うことができ、精度のよい電動機となる。しかも、ショート回避可能な電位差とする方法としては、内相巻線４ｃの磁極部Ｗの配置のみを従来のこの種のものに対して相違させるのみでよいので、組立作業の複雑化を防止でき、この永久磁石型電動機を簡単に製造することができる。
【００２８】
ところで、着磁用電圧を印加した場合、通電による反発力にて、中相巻線４ｂと内相巻線４ｃの固定子コア３の端面から突出する突出部９に、一瞬外径方向に移動させる力が発生する。しかしながら、外相巻線４ａには着磁用電圧が印加されないので、このような力が発生しない。このため、中相巻線４ｂと内相巻線４ｃの外径方向への移動を外相巻線４ａが規制して、固定子コア３の端面から突出したコイル突出部９の変形を防止できる。これによって、絶縁破壊や耐電圧不良等が生じにくい高品質の電動機となる。
【００２９】
上記実施の形態では、中相巻線４ｂと内相巻線４ｃとを使用して着磁するものであったが、外相巻線４ａと中相巻線４ｂとを使用して着磁してもよい。すなわち、外相巻線４ａと中相巻線４ｂとを使用して着磁する場合、図７に示すように、外相巻線４ａ及び内相巻線４ｃは上記図１と同様の巻設方法で巻設されて、外相巻線４ａでは、反時計廻りに第１磁極部Ｕ１から順次第２磁極部Ｕ２と、第３磁極部Ｕ３と、第４磁極部Ｕ４とが配置され、内相巻線４ｃでは、時計廻りに第１磁極部Ｗ１から順次第２磁極部Ｗ２と、第３磁極部Ｗ３と、第４磁極部Ｗ４とが配置される。また、中相巻線４ｂでは、反時計廻りに第１磁極部Ｖ１から順次第２磁極部Ｖ２と、第３磁極部Ｖ３と、第４磁極部Ｖ４とが配置される。このため、図８に示すように、外相巻線４ａの第１磁極部Ｕ１と中相巻線４ｂの第３磁極部Ｖ３とが隣接し、外相巻線４ａの第２磁極部Ｕ２と中相巻線４ｂの第４磁極部Ｖ４とが隣接し、外相巻線４ａの第３磁極部Ｕ３と中相巻線４ｂの第１磁極部Ｖ１とが隣接し、外相巻線４ａの第４磁極部Ｕ４と中相巻線４ｂの第２磁極部Ｖ２とが隣接する。そして、磁性部材１６・・は、内相巻線４ｃの第１磁極部Ｗ１と第２磁極部Ｗ２との間、内相巻線４ｃの第２磁極部Ｗ２と第３磁極部Ｗ３との間、内相巻線４ｃの第３磁極部Ｗ３と第４磁極部Ｗ４との間、及び内相巻線４ｃの第４磁極部Ｗ４と第１磁極部Ｗ１との間にそれぞれ対面するように配置される。
【００３０】
図７と図８に示すように配置して磁石６を着磁するには、外相巻線４ａと中相巻線４ｂとの間に着磁用電圧を印加する。この場合、電流は図８に示すように、入力端１５から外相巻線４ａの第１磁極部Ｕ１、第２磁極部Ｕ２、第３磁極部Ｕ３、第４磁極部Ｕ４と順次流れる。その後は中性点Ｎを介して中相巻線４ｂに流れ込み、この中相巻線４ｂでは、第４磁極部Ｖ４、第３磁極部Ｖ３、第２磁極部Ｖ２、第１磁極部Ｖ１と順次流れ、この第１磁極部Ｖ１から出力端１４に流れ、磁界Ｂが図７に示すように発生する。これによって、回転子２の磁石６の着磁が行われる。
【００３１】
このように、外相巻線４ａと中相巻線４ｂとで着磁しても、外相巻線４ａの電源線側の第１磁極部Ｕ１と、中相巻線４ｂの電源線側の第１磁極部Ｖ１とが隣接せずに、一方の巻線４ａの第１磁極部Ｕ１に、この第１磁極部Ｕ１との間の電位差が小である他方の巻線４ｂの第３磁極部Ｖ３とが近接（隣接）することになって、この間におけるレアショートの発生を防止できる。すなわち、この場合であっても、各磁極部間（コイル相間部）に大きな電位差が生じず、しかも、各磁極部の電位差をほぼ均等とすることができる。このため、各磁極部間におけるショートの発生を防止（回避）することができる。
【００３２】
さらに、外相巻線４ａと内相巻線４ｃとを使用して着磁してもよい。この場合図９に示すように、外相巻線４ａ、中相巻線４ｂ、及び内相巻線４ｃは、それぞれ上記図１と同様の巻設方法で巻設されている。すなわち、外相巻線４ａでは、反時計廻りに第１磁極部Ｕ１から順次第２磁極部Ｕ２と、第３磁極部Ｕ３と、第４磁極部Ｕ４とが配置され、中相巻線４ｂでは、時計廻りに第１磁極部Ｖ１から順次第２磁極部Ｖ２と、第３磁極部Ｖ３と、第４磁極部Ｖ４とが配置される。また、内相巻線４ｃでは、時計廻りに第１磁極部Ｗ１から順次第２磁極部Ｗ２と、第３磁極部Ｗ３と、第４磁極部Ｗ４とが配置される。このため、図１０に示すように、内相巻線４ｃの第１磁極部Ｗ１と外相巻線４ａの第３磁極部Ｕ３とが隣接し、内相巻線４ｃの第２磁極部Ｗ２と外相巻線４ａの第４磁極部Ｕ４とが隣接し、内相巻線４ｃの第３磁極部Ｗ３と外相巻線４ａの第１磁極部Ｕ１とが隣接し、内相巻線４ｃの第４磁極部Ｗ４と外相巻線４ａの第２磁極部Ｕ２とが隣接する。そして、磁性部材１６・・は、中相巻線４ｂの第１磁極部Ｖ１と第２磁極部Ｖ２との間、中相巻線４ｂの第２磁極部Ｖ２と第３磁極部Ｖ３との間、中相巻線４ｂの第３磁極部Ｖ３と第４磁極部Ｖ４との間、及び中相巻線４ｂの第４磁極部Ｖ４と第１磁極部Ｖ１との間にそれぞれ対面するように配置される。
【００３３】
図９と図１０に示すように配置して磁石６を着磁するには、外相巻線４ａと内相巻線４ｃとの間に着磁用電圧を印加する。この場合、電流は図１０に示すように、入力端１５から内相巻線４ｃの第１磁極部Ｗ１、第２磁極部Ｗ２、第３磁極部Ｗ３、第４磁極部Ｗ４と順次流れる。その後は中性点Ｎを介して外相巻線４ａに流れ込み、この外相巻線４ａでは、第４磁極部Ｕ４、第３磁極部Ｕ３、第２磁極部Ｕ２、第１磁極部Ｕ１と順次流れ、この第１磁極部Ｕ１から出力端１４に流れ、磁界Ｂが図９に示すように発生する。これによって、回転子２の磁石６の着磁が行われる。
【００３４】
このように、外相巻線４ａと内相巻線４ｃとで着磁しても、内相巻線４ｃの電源線側の第１磁極部Ｗ１と、外相巻線４ａの電源線側の第１磁極部Ｕ１とが隣接せずに、一方の巻線４ｃの第１磁極部Ｗ１に、この第１磁極部Ｗ１との間の電位差が小である他方の巻線４ａの第３磁極部Ｕ３とが近接（隣接）することになって、この間におけるレアショートの発生を防止できる。すなわち、この場合であっても、各磁極部間（コイル相間部）に大きな電位差が生じず、しかも、各磁極部の電位差をほぼ均等とすることができる。このため、各磁極部間におけるショートの発生を防止（回避）することができる。
【００３５】
以上にこの発明の具体的な実施の形態について説明したが、この発明は上記形態に限定されるものではなく、この発明の範囲内で種々変更して実施することができる。例えば、実施の形態では、永久磁石型電動機の相数及び極数等の変更も可能である。
【図面の簡単な説明】
【００３６】
【図１】この発明の永久磁石型電動機の巻線配置を示し、中相巻線と内相巻線とを使用して着磁している状態の簡略図である。
【図２】上記永久磁石型電動機の巻線配置の簡略図である。
【図３】着磁用電圧を励磁した際の電流の流れを示す簡略図である。
【図４】巻線の結線状態を示す回路図である。
【図５】上記永久磁石型電動機の簡略図である。
【図６】上記永久磁石型電動機の回転子の平面図である。
【図７】外相巻線と中相巻線とを使用して着磁している状態の簡略図である。
【図８】外相巻線と中相巻線とを使用して着磁する場合の巻線配置の簡略図である。
【図９】外相巻線と内相巻線とを使用して着磁している状態の簡略図である。
【図１０】外相巻線と内相巻線とを使用して着磁する場合の巻線配置の簡略図である。
【図１１】従来の永久磁石型電動機の巻線配置を示す簡略図である。
【図１２】従来の巻線配置の簡略図である。
【図１３】従来の永久磁石型電動機において着磁用電圧を励磁した際の電流の流れを示す簡略図である。
【符号の説明】
【００３７】
３・・固定子コア、４ａ、４ｂ、４ｃ・・巻線、６・・永久磁石、１６・・磁性部材、Ｎ・・中性点、Ｖ１、Ｖ２、Ｖ３、Ｖ４・・磁極部、Ｗ１、Ｗ２、Ｗ３、Ｗ４・・磁極部
【図１】
2005224032.tif 000003
【図２】
2005224032.tif 000004
【図３】
2005224032.tif 000005
【図４】
2005224032.tif 000006
【図５】
2005224032.tif 000007
【図６】
2005224032.tif 000008
【図７】
2005224032.tif 000009
【図８】
2005224032.tif 000010
【図９】
2005224032.tif 000011
【図１０】
2005224032.tif 000012
【図１１】
2005224032.tif 000013
【図１２】
2005224032.tif 000014
【図１３】
2005224032.tif 000015